(57)【要約】【課題】  段ボールを材料とした軽くて持ち運びが便利で、また組み立てが簡単な組立て式椅子の提供。【解決手段】  椅子は脚１と台座２を有し、脚１は２枚の段ボール製脚部３ａ，３ｂを組み合わせて構成し、台座２は複数枚の段ボールを接着剤を介して貼り合わせて積層した構造とし、そして台座２の底面４には嵌合溝５を設け、この嵌合溝５に脚１の上端部を嵌めて取付けている。【選択図】    図１
2016106744.tif 000002
【特許請求の範囲】
【請求項１】
段ボールを材料とした組立て式椅子において、該椅子は脚部と台座を有し、脚部は複数枚の段ボール製脚板を組み合わせて構成し、台座は複数枚の段ボールを接着剤を介して貼り合わせて積層した構造とし、そして台座の底面には嵌合溝を設け、この嵌合溝に上記脚部の上端部を嵌めて取付けたことを特徴とする段ボール製の組立て式椅子。
【請求項２】
上記脚部は２枚の段ボール製脚板を組み合わせた構造とし、一方の脚板の中央上端から下方へスリット溝を延ばし、他方の脚板の中央下端から上方へスリット溝を延ばし、一方の脚板に形成したスリット溝に他方の脚板を嵌入することで十字状を成して組み合わせ、台座底面に形成した十字状嵌合溝に脚部上端部を嵌めた請求項１記載の段ボール製の組立て式椅子。
【発明の詳細な説明】
【技術分野】
【０００１】
本発明は、屋外への持ち運びが軽くて、長時間座っていても尻が痛く成らない段ボール製の組立て式椅子に関するものである。
【背景技術】
【０００２】
一口に椅子と言ってもその種類は無数にあり、オフィス等で使われる事務用椅子、家庭の食卓で使用するテーブル椅子、作業する際に踏み台として使用する椅子、さらには車に取付けられる椅子など、使用用途により多種多様な椅子が存在している。
本発明が対象とする椅子は、持ち運びが便利なように主として屋外で簡単に組み立てて使うことが出来る椅子である。
【０００３】
特開平９−７５１７２号に係る「折畳み式椅子」は、持ち運びに楽で、杖代わりにも使用可能としている。
板状の腰掛け部と、この腰掛け部の裏面に取り付けられた３本の脚とからなり、使用可能な状態と折り畳み状態との間で変形自在な折畳み式椅子であって、折り畳んで起立させた状態において中央に位置する脚の上端は腰掛け部から上方に突出して把手が形成されており、且つ中央に位置する脚の下端は他の２本の脚の下端よりもやや突出するように構成されている。
【０００４】
特開２０１４−２１７４１０号に係る「組立式正座椅子」は、容易に組立可能で着座の安定性や持ち運びの利便性を確保することができ、しかも組立状態を安定的に保持することができる椅子である。
交差状に組まれた脚部材を座板に着脱可能に取着してなり、係止部材の張出部が挿入可能な張出部挿入開口部と、係止部材の軸部が嵌合可能な軸部嵌合開口部と、係止部材の軸部が通過可能な軸部通過開口部と、座板の内部に設けられて係止部材の張出部を受け入れ可能な張出部受入空間と、座板に対し脚部材が前後左右方向に十の字状に交差するように配されたときに対向する座板の下面と脚部材の上面とのいずれか一方に埋設される磁石体および他方に埋設される磁性体とを備えている。
【０００５】
特開２００４−２２３０６８号に係る「組立式椅子」は、シート材であるが丈夫で、両面座ることのできるものである。
シート材を型抜きして作られる型紙により組み立てられる三角柱状の椅子であって、周壁部を形成する３枚以上の周壁片と、周壁片の連接方向に平行な上辺に連接される座面片と、周壁片の下辺に連接される底面片と、座面片の外側斜辺に連接される嵌合片と、底面片の外側斜辺に連接される嵌合片と、周壁片の連接する方向の両端側に連接される第１の支持片、第２の支持片及び第３の支持片とから構成され、各連接部分において折り曲げることにより、丈夫なモノコック構造であり、両面座ることが出来る。
【０００６】
このように組立て式椅子は色々あるが、屋外への持ち運びの利便性を考えたものではない。
【特許文献１】特開平９−７５１７２号に係る「折畳み式椅子」
【特許文献２】特開２０１４−２１７４１０号に係る「組立式正座椅子」
【特許文献３】特開２００４−２２３０６８号に係る「組立式椅子」
【発明の開示】
【発明が解決しようとする課題】
【０００７】
従来から存在する組立て式椅子には上記のごとき問題がある。本発明が解決しようとする課題はこの問題点であり、軽くて持ち運びが容易であると共に、持ち運びに際して嵩張ることもなく、しかも簡単に組み立てることが出来る段ボール製の組立て式椅子を提供する。
【課題を解決するための手段】
【０００８】
本発明に係る椅子はその材質を段ボールとし、複数枚の脚板と台座を有している。脚板にはスリット溝が形成され、該スリット溝を介して互いに組み合わされることで脚部が構成される。そして台座は円形又は多角形とし、底面には上記脚部の上端が嵌ることが出来る嵌合溝を形成している。台座には人が座る場合に尻を支えるように、上記脚板に使われる段ボールより厚く、その為に複数枚の段ボールを積層した構造とすることも出来る。
【０００９】
ここで、脚部を構成する脚板の枚数は限定しないが、一般的には２枚の脚板を組み合せた十字状の構造としている。そして、台座の底面には十字状をした嵌合溝が形成され、この十字状の嵌合溝に脚部の上端部が嵌って椅子が構成される。複数枚の段ボールを重ね合せた台座は、底面に積層される段ボールには溝を打抜き形成し、上面側の段ボールには溝を形成しないで積層して構成することが出来る。
【発明の効果】
【００１０】
本発明に係る椅子はその材質を段ボール製としている。したがって、持ち運びが軽く、手軽に場所を変えて使うことが出来る。そして、該椅子は複数枚の脚板と台座から成り、脚板を組み合せて構成した脚部の上端に台座を載せることでその組立は簡単である。台座の下面には嵌合溝が形成され、この嵌合溝に脚部の上端部が嵌ることで該脚部の上端に載置した台座は位置ズレすることなく安定する。
【００１１】
そして、屋外へ運ぶ際には解体して脚部と台座に分離すると共に、脚部も複数枚の脚板になることで、嵩張ることなく運ぶことが出来る。
一方、台座は所定の厚みを有す段ボール製であり、そのために柔らかくて上面に作用する荷重によって窪み変形することが出来、長時間にわたって座っていても尻が痛くなることはない。木製の硬い椅子に長時間座っていることは出来ない。
【図面の簡単な説明】
【００１２】
【図１】本発明に係る段ボール製の組立て式椅子を示す実施例で、上方から見た斜視図。
【図２】本発明に係る段ボール製の組立て式椅子を示す実施例で、下方から見た斜視図。
【図３】台座の底面を示す実施例。
【図４】脚を構成する脚部の具体例。
【発明を実施するための形態】
【００１３】
図１、図２は本発明に係る段ボール製の組立て式椅子を示す実施例であり、上方から見た斜視図と下方から見た斜視図をそれぞれ表している。同図の１は脚部、２は台座を表し、脚部１の上端に台座２が載って取付けられている。図２に示しているように、脚部１は２枚の脚板３ａ，３ｂが組み合せて構成され、その断面形状は十字状と成っている。
【００１４】
そして台座２は円板をなし、台座２の底面には十字状の嵌合溝を形成し、この嵌合溝に脚部１の上端部が嵌っている。段ボール製の脚部１は２枚の脚板３ａ，３ｂが十字状にクロスして組み合わされ、その上端部が台座２の底面に形成した嵌合溝に嵌ることでその形状が崩れることはなく、上記台座２を安定して支えることが出来る。
【００１５】
図３は台座２の底面４を示しているが、該底面４には十字状の嵌合溝５が形成されている。該嵌合溝５は上面６まで貫通しておらず、一般には台座２の厚さの１／４〜１／３程度の深さとしている。そのために、台座２は脚板３に使う段ボールより厚く、又は複数枚の円板を製作し、これら円板の内で２枚〜３枚に十字状の穴を貫通して設け、十字状の穴を貫通した円板を下側に積層して接着剤で貼り合わすことで作ることが出来る。
【００１６】
台座２の厚さに関しては特に限定しないが、一般的には複数枚の円板を積層して３０ｍｍ〜５０ｍｍ程度としている。勿論、厚い段ボールを使用し、この段ボールの底面に薄い段ボールで十字状の穴を貫通した円板を貼着して台座２を製作することも出来る。したがって、台座全体としての弾力性が備わり、腰掛けた時の荷重（体重）によって上面６は多少窪み変形することが出来、そのために、すわり心地は良好と成る。すなわち、長時間座っていても木製台座のように尻が痛くなることはない。
【００１７】
図４は脚部１を構成する脚板３ａ，３ｂを示す具体例である。該脚板３ａ，３ｂは概略台形を成し、脚板下端の中央部には切欠き部７ａ，７ｂを設けている。従って、脚板３ａ，３ｂの下端全体が地面に当たることなく、両側部のみが接することで安定して起立するように成っている。
【００１８】
そして脚板３ａには中央の上端８から下方へ延びるスリット溝９が設けられ、一方の脚板３ｂには中央の下端１０に設けた切欠き部７ｂの底から上方へ延びるスリット溝１１が設けられている。そこで、両脚板３ａ，３ｂは組み合わされるが、脚板３ａの上端からスリット溝９とスリット溝１１が位置合わせされて脚板３ｂを降下することで、十字状に組み合わされる。すなわち、脚板３ａのスリット溝９には脚板３ｂが嵌り、脚板３ｂのスリット溝１１には脚板３ａが嵌合する。そして、互いに組み合わされた脚板３ａ，３ｂの上端は同一面と成り、台座２を均等に支持することが出来る。
【００１９】
十字状に組み合わされた脚部１の上端部は図３に示す十字状の嵌合溝５に嵌って取付けられる。
ところで、本発明に係る段ボール製の組立て式椅子は、その台座２の形状を円形に限るものではなく、正方形又は長方形とすることもある。また、脚ぶ１の場合も、２枚の脚板３ａ，３ｂに限らず、３枚ないし４枚の脚板を組み合せて脚部１を構成することも出来る。
【００２０】
段ボール製の椅子を屋外で使用する場合、脚部の下端は地面に接して起立する。そこで、地面の凹凸によって段ボール製の脚部下端が局部的に変形することもあり、そのために椅子の寿命が低下する虞がある。そこで、屋外で使う場合に最も無理が働く脚部の下端に無理な応力が作用しないように脚板３ａ，３ｂの下端に樹脂製のキャップを嵌めることも出来る。
【符号の説明】
【００２１】
１   脚部
２   台座
３   脚板
４   底面
５   嵌合溝
６   上面
７   切欠き部
８   上端
９   スリット溝
10   下端
11   スリット溝
【図１】
2016106744.tif 000003
【図２】
2016106744.tif 000004
【図３】
2016106744.tif 000005
【図４】
2016106744.tif 000006